(57)【要約】【課題】ランプピン間隔が異なる蛍光ランプに、簡易な構成により適正な電力を間違うことなく供給することができる照明器具を提供する。【解決手段】蛍光ランプ１１の口金１２に設けられている１対のランプピン１３（１４）の間隔を定格電力に応じて変え、ソケット２０の電源端子２１（２２）の間隔をランプピン間隔に対応して複数種設けるとともに、電源端子２１（２２）に適正な電力を供給するようにしたので、蛍光ランプ１１をソケット２０に装着するだけで、間違いなく装着された蛍光ランプ１１に定格電力を供給することができる。【選択図】図１
2009283229.tif 000002
【特許請求の範囲】
【請求項１】
蛍光ランプの端部に設けられている口金から突設されている１対のランプピンを、ソケットに設けられている電源端子に接続して前記蛍光ランプを点灯させる照明器具であって、
前記１対のランプピン間隔を、前記蛍光ランプの定格電力に応じて変えるとともに、
前記電源端子を、各種の蛍光ランプの前記ランプピン間隔と等しい間隔で複数対設けて、対応する前記ランプピン間隔を有する蛍光ランプの定格電力を供給することを特徴とする照明器具。
【請求項２】
前記複数対の電源端子に、前記電源端子の間隔と等しい前記ランプピン間隔を有する蛍光ランプの定格電力を常に流すことを特徴とする請求項１記載の照明器具。
【請求項３】
前記ソケットに、同心で多重の回転子を設け、各回転子ごとに前記対の電源端子を設けるとともに当該電源端子に前記ランプピンを接続して回転された前記回転子の電源端子のみに定格電力を供給することを特徴とする請求項１または２記載の照明器具。
【請求項４】
前記ランプピン間隔が狭い１対のランプピンの一方あるいは前記ランプピン間隔が広い１対のランプピンの一方が前記電源端子と接続されたときに切り替わるスイッチを設け、前記スイッチのオン・オフにより接続された前記電源端子を判別して、電力を供給することを特徴とする請求項１に記載の照明器具。
【発明の詳細な説明】
【技術分野】
【０００１】
本発明は、蛍光ランプのサイズに応じて所定の定格電力を供給することができる照明器具に関するものである。
【背景技術】
【０００２】
図６に示すように、従来の照明器具に装着可能な蛍光ランプ１０１には、蛍光ランプ１０１を支持するとともに、電力を供給する口金部１０２が取付けられており、複数本のランプピン１０３が突設されている。また、口金部１０２の中央部には、突出部１０４が設けられており、突出部１０４の側周壁１０４ａの両側には、抜け止め用係止部１０５が設けられている。さらに、口金部１０２の周側面１０２ａには、蛍光ランプ１０１の定格電力に応じて各々異なる部位に、誤挿入防止用突起１０６が設けられている。一方、蛍光ランプ１０１が取付けられるソケット（図示省略）には、装着される蛍光ランプ１０１を判別する判別部であるスイッチが設けられており、装着された蛍光ランプ１０１の誤挿入防止用突起１０６がスイッチを押圧することにより、定格電力を判別するようになっている（例えば特許文献１参照）。
【特許文献１】特開２００１−３５７９８８号公報（第２図）
【発明の開示】
【発明が解決しようとする課題】
【０００３】
しかしながら、前述した特許文献１に記載の照明器具においては、ソケットに設けられたスイッチによって入力電力を切替えているので、部品点数が増えるとともに、複雑な構成となっていたという問題があった。
【０００４】
本発明は、従来の問題を解決するためになされたもので、ランプピン間隔が異なる蛍光ランプに、簡易な構成により適正な電力を間違うことなく供給することができる照明器具を提供することを目的とする。
【課題を解決するための手段】
【０００５】
本発明の照明器具は、蛍光ランプの端部に設けられている口金から突設されている１対のランプピンを、ソケットに設けられている電源端子に接続して前記蛍光ランプを点灯させる照明器具であって、前記１対のランプピン間隔を、前記蛍光ランプの定格電力に応じて変えるとともに、前記電源端子を、各種の蛍光ランプの前記ランプピン間隔と等しい間隔で複数対設けて、対応する前記ランプピン間隔を有する蛍光ランプの定格電力を供給する構成を有している。
【０００６】
この構成により、蛍光ランプの口金に設けられている１対のランプピンの間隔を定格電力に応じて変え、ソケットの電源端子の間隔をランプピン間隔に対応して複数種設けるとともに、電源端子に適正な電力を供給するようにしたので、蛍光ランプをソケットに装着するだけで、間違いなく装着された蛍光ランプに定格電力を供給することができる。
【０００７】
また、本発明の照明器具は、前記複数対の電源端子に、前記電源端子の間隔と等しい前記ランプピン間隔を有する蛍光ランプの定格電力を常に流す構成を有している。
【０００８】
この構成により、ソケットにおいて対を成す電源端子には、電源端子間隔でランプピンを有する蛍光ランプの定格電力を常に流しているので、蛍光ランプをソケットに装着するだけで、間違いなく装着された蛍光ランプに定格電力を供給することができる。
【０００９】
さらに、本発明の照明器具は、前記ソケットに、同心で多重の回転子を設け、各回転子ごとに前記対の電源端子を設けるとともに当該電源端子に前記ランプピンを接続して回転された前記回転子の電源端子のみに定格電力を供給する構成を有している。
【００１０】
この構成により、蛍光ランプのランプピンをソケットの電源端子に接続し、接続された電源端子が設けられている回転子を回転させることにより、回転された回転子の電源端子のみに定格電力を供給する。あるいは、蛍光ランプのランプピンをソケットの回転子に取付け、回転子を回転させることによりランプピンを電源端子に接続するようにすることもできる。これにより、間違いなく装着された蛍光ランプに定格電力を供給することができる。
【００１１】
さらに、本発明の照明器具は、前記ランプピン間隔が狭い１対のランプピンの一方あるいは前記ランプピン間隔が広い１対のランプピンの一方が前記電源端子と接続されたときに切り替わるスイッチを設け、前記スイッチのオン・オフにより接続された前記電源端子を判別して、電力を供給する構成を有している。
【００１２】
この構成により、ランプピン間隔が狭い１対のランプピンの一方あるいはランプピン間隔が広い１対のランプピンの一方が、電源端子と接続されたときにスイッチが切り替わるので、スイッチのオン・オフによりランプピン間隔が広い蛍光ランプかあるいは狭い蛍光ランプかを判別でき、ランプピンが装着された電源端子に、間違いなく装着された蛍光ランプの定格電力を供給することができる。
【発明の効果】
【００１３】
本発明は、蛍光ランプの口金に設けられている１対のランプピンの間隔を定格電力に応じて変え、ソケットの電源端子の間隔をランプピン間隔に対応して複数種設けるとともに、電源端子に適正な電力を供給するようにしたので、蛍光ランプをソケットに装着するだけで、間違いなく装着された蛍光ランプに定格電力を供給することができるという効果を有する照明器具を提供することができるものである。
【発明を実施するための最良の形態】
【００１４】
以下、本発明の実施の形態の照明器具について、図面を用いて説明する。
図１は本発明の第１の実施の形態にかかる照明器具の構成図であり、（Ａ）はランプピン間隔が狭い場合、（Ｂ）はランプピン間隔が広い場合、図２はソケットの斜視図である。
【００１５】
図１および図２に示すように、第１実施形態にかかる照明器具１０は、蛍光ランプ１１の端部に設けられている口金１２から突設されている１対のランプピン１３，１３（１４，１４）を、ソケット２０に設けられている１対の電源端子２１，２１（２２，２２）に接続して蛍光ランプ１１を点灯させる。
【００１６】
すなわち、図１（Ａ）に示すように、蛍光ランプ１１Ａの口金１２には、口金１２の中心部に狭い間隔で１対のランプピン１３、１３が設けられている。また、図１（Ｂ）に示すように、蛍光ランプ１１Ｂの口金１２には、口金１２の中心部に広い間隔で１対のランプピン１４、１４が設けられている。
【００１７】
一方、図２に示すように、箱状のソケット２０には、ソケット本体２０ａの中央部に回転子２３が設けられており、ソケット２０が取付けられている器具本体１５とは反対側のソケット本体２０ａの端部に開口するとともに、回転子２３の中心を横切って、ランプピン１３、１４を挿入するスリット２４が設けられている。スリット２４の左右両側には、挿入されたランプピン１３、１４を把持して導通する電源端子２１、２２が設けられている。図１に示すように、電源端子２１、２２は、スリット２４に沿って、２対設けられている。回転子２３の中心側（すなわち、口金の中心側）に１対の電源端子２１、２１が設けられており、その外側に１対の電源端子２２、２２が設けられている。
【００１８】
図１に示すように、ソケット２０に設けられている２対の電源端子２１、２２は、それぞれ別個に安定器３０に接続されており、狭い電源端子２１，２１には、狭いランプピン１３、１３を有する蛍光ランプ１１Ａの定格電力が常時供給されている。また、広い電源端子２２，２２には、広いランプピン１４、１４を有する蛍光ランプ１１Ｂの定格電力が常時供給されている。
【００１９】
従って、図１（Ａ）に示すように、狭いランプピン１３、１３を有する蛍光ランプ１１Ａをソケット２０に装着すると、ランプピン１３、１３は電源端子２１、２１に接続されて、蛍光ランプ１１Ａ用の定格電力を受けることができる。同様に、図１（Ｂ）に示すように、広いランプピン１４、１４を有する蛍光ランプ１１Ｂをソケット２０に装着すると、ランプピン１４、１４は電源端子２２、２２に接続されて、蛍光ランプ１１Ｂ用の定格電力を受けることができる。
【００２０】
以上、説明した第１実施形態にかかる照明器具１０Ａによれば、蛍光ランプ１１の口金１２に設けられている１対のランプピン１３、１３（１４，１４）の間隔を定格電力に応じて変え、ソケット２０の電源端子２１、２１（２２、２２）の間隔をランプピン１３、１３（１４，１４）間隔に対応して複数種設けるとともに、電源端子２１，２２に適正な電力を常に供給するようにしたので、蛍光ランプ１１をソケット２０に装着するだけで、間違いなく装着された蛍光ランプ１１に定格電力を供給することができる。
【００２１】
次に、本発明の第２実施形態にかかる照明器具について、図面を用いて説明する。
図３は本発明の第２の実施の形態にかかる照明器具におけるソケットの要部構成図であり、（Ａ）はランプピン間隔が狭い場合、（Ｂ）はランプピン間隔が広い場合を示す、図４はソケットの斜視図である。なお、前述した第１実施形態にかかる照明器具と共通する部位には同じ符号を付して、重複する説明を省略することとする。
【００２２】
図３および図４に示すように、本発明の第２実施形態にかかる照明器具１０Ｂでは、ソケット２０に、同心で多重（ここでは、例えば２重）の回転子２５、２６を設けてある。すなわち、中心部に円板状の回転子２５を回転可能に設け、回転子２５の外側にリング状の回転子２６を回転可能に設けてある。両回転子２５、２６は、各々別個に回転可能となっている。
【００２３】
内側の回転子２５の内側には、狭い間隔で電源端子２１、２１が、回転子２５が所定の角度回転したときに接触可能な位置に設けられており、安定器３０に接続されている。電源端子２１，２１には、狭い間隔のランプピン１３、１３を有する蛍光ランプ１１Ａの定格電力が供給される。
【００２４】
一方、外側の回転子２６の内側には、広い間隔で電源端子２２、２２が、回転子２６が所定の角度回転したときに接触可能な位置に設けられており、安定器３０に接続されている。電源端子２２，２２には、広い間隔のランプピン１４、１４を有する蛍光ランプ１１Ｂの定格電力が供給される。
【００２５】
従って、図３（Ａ）に示すように、狭い間隔のランプピン１３、１３を有する蛍光ランプ１１Ａのランプピン１３、１３を、ソケット２０のスリット２４に挿入した場合には、蛍光ランプ１１Ａを回転させると回転子２５が回転し、ランプピン１３、１３は電源端子２１、２１に接続されて、蛍光ランプ１１Ａの定格電力が供給される。一方、図３（Ｂ）に示すように、広い間隔のランプピン１４、１４を有する蛍光ランプ１１Ｂのランプピン１３、１３を、ソケット２０のスリット２４に挿入した場合には、蛍光ランプ１１Ｂを回転させると回転子２６が回転し、ランプピン１４、１４は電源端子２２、２２に接続されて、蛍光ランプ１１Ｂの定格電力が供給される。
【００２６】
以上、説明した第２実施形態にかかる照明器具１０Ｂでは、蛍光ランプ１１のランプピン１３（１４）をソケット２０の回転子２５（２６）に取付け、回転子２５（２６）を回転させることによりランプピン１３（１４）を電源端子２１（２２）に接続するので、間違いなく装着された蛍光ランプ１１に定格電力を供給することができる。なお、蛍光ランプ１１のランプピン１３（１４）をソケット２０の電源端子２１（２２）に接続した後、回転子を回転させるようにすることもできる。
【００２７】
次に、本発明の第３実施形態にかかる照明器具について、図面を用いて説明する。
図５は本発明の第３の実施の形態にかかる照明器具の要部構成図であり、（Ａ）はランプピン間隔が狭い場合、（Ｂ）はランプピン間隔が広い場合を示す。なお、前述した第１、第２実施形態にかかる照明器具と共通する部位には同じ符号を付して、重複する説明を省略することとする。
【００２８】
図５に示すように、本発明の第３実施形態にかかる照明器具１０Ｃでは、ランプピン間隔が狭い１対のランプピン１３，１３の一方あるいはランプピン間隔が広い１対のランプピン１４、１４の一方が電源端子２１、２２と接続されたときに切り替わるスイッチ３１を設け、このスイッチ３１のオン・オフにより接続された電源端子２１，２２を判別して、電力を供給するものである。
【００２９】
図５に示す例では、スイッチ３１は、検出子３１ａがランプピン間隔が狭い１対のランプピン１３，１３の一方（図５では下側のランプピン）を検出する位置に設けられている。安定器３０は、スイッチ３１からの検出信号を受けて、スイッチ３１がオンの場合には、電源端子２１、２１に蛍光ランプ１１Ａの定格電力を供給する。一方、スイッチ３１がオフの場合には、電源端子２２、２２に蛍光ランプ１１Ｂの定格電力を供給する。
【００３０】
従って、図５（Ａ）に示すように、狭い間隔のランプピン１３、１３を有する蛍光ランプ１１Ａのランプピン１３、１３を、ソケット２０のスリット２４に挿入した場合には、スイッチ３１の検出子３１ａが下側のランプピン１３に当接して、これを検出するのでスイッチ３１がオンとなる。これにより、電源端子２１、２１には、蛍光ランプ１１Ａの定格電力が供給される。
【００３１】
一方、図５（Ｂ）に示すように、広い間隔のランプピン１４、１４を有する蛍光ランプ１１Ｂのランプピン１３、１３を、ソケット２０のスリット２４に挿入した場合には、ランプピン１４はスイッチ３１の検出子３１ａに当接しないのでスイッチ３１はオフとなる。これにより、電源端子２２、２２に蛍光ランプ１１Ｂの定格電力が供給される。
【００３２】
以上、説明した第３実施形態にかかる照明器具１０Ｃでは、ランプピン間隔が狭い１対のランプピン１３、１３の一方が、電源端子２１と接続されたときにスイッチ３１が切り替わるので、スイッチ３１のオン・オフによりランプピン間隔が広い蛍光ランプ１１Ｂかあるいは狭い蛍光ランプ１１Ａかを判別でき、ランプピン１３が装着された電源端子２１に、間違いなく装着された蛍光ランプ１１Ａの定格電力を供給することができる。
【００３３】
なお、本発明の照明器具は、前述した各実施形態に限定されるものでなく、適宜な変形，改良等が可能である。
例えば、前述した各実施形態においては、広い間隔と狭い間隔の２種類の間隔に適用できる場合を例示したが、３種以上の間隔についても適用可能である。
【図面の簡単な説明】
【００３４】
【図１】本発明の第１の実施の形態にかかる照明器具の構成図であり、（Ａ）はランプピン間隔が狭い場合、（Ｂ）はランプピン間隔が広い場合
【図２】ソケットの斜視図
【図３】本発明の第２の実施の形態にかかる照明器具におけるソケットの要部構成図であり、（Ａ）はランプピン間隔が狭い場合、（Ｂ）はランプピン間隔が広い場合を示す
【図４】ソケットの斜視図
【図５】本発明の第３の実施の形態にかかる照明器具の要部構成図であり、（Ａ）はランプピン間隔が狭い場合、（Ｂ）はランプピン間隔が広い場合を示す
【図６】従来の照明器具の側面図
【符号の説明】
【００３５】
１０  照明器具
１１  蛍光ランプ
１２  口金
１３，１４  ランプピン
２０  ソケット
２１，２２  電源端子
２５，２６  回転子
３１  スイッチ
【図１】
2009283229.tif 000003
【図２】
2009283229.tif 000004
【図３】
2009283229.tif 000005
【図４】
2009283229.tif 000006
【図５】
2009283229.tif 000007
【図６】
2009283229.tif 000008